(57)【特許請求の範囲】
【請求項１】
廃棄物を燃焼させる燃焼室および当該燃焼室で発生した排ガスを外部に導く煙道が設けられた焼却炉およびこの焼却炉から排出される排ガスを大気側に導くとともに途中に排ガス処理機器が設けられた排ガス処理経路部を具備する焼却設備における上記排ガス中の窒素酸化物の発生を抑制するための還元剤の供給方法であって、
排ガス処理経路部より排出される排ガス量から当該排ガス処理経路部に供給された水・空気量などの流体流量を減算して焼却炉出口側での排ガス量（ＦＧＡＳ）を求め、
予め焼却炉で実測された還元剤供給手前位置での排ガス量と焼却炉出口側での窒素酸化物濃度との関係を用いて、上記求められた排ガス量（ＦＧＡＳ）から還元剤の供給手前位置での窒素酸化物濃度（ＣＮＯｘ−ｉｎ）（ｐｐｍ）を求め、
上記求められた窒素酸化物濃度（ＣＮＯｘ−ｉｎ）および目標値としての窒素酸化物濃度（ＣＮＯｘ−ｏｕｔ）（ｐｐｍ）を下記（Ｕ１）式に代入して脱硝率ｘを求め、
ｘ＝１−［ＣＮＯｘ−ｏｕｔ／｛ＣＮＯｘ−ｉｎ×（２１−１２）／（２１−ＣＯ２）｝］  ・・・（Ｕ１）
（但し、ＣＯ２は焼却炉出口側での酸素濃度（％））
予め求められている脱硝率ｘと当該脱硝率ｘを達成するための還元剤の当量比（還元剤／窒素酸化物）λとの関係を示すデータに基づき、上記（Ｕ１）式にて求められた脱硝率ｘに対応する当量比λを求め、
上記当量比λを下記（Ｕ２）式に代入して、排ガス量に基づく還元剤の供給量（ＦＲＥＤ）を求め、
ＦＲＥＤ＝１０−６×ＦＧＡＳ×（１−ＣＨ２Ｏ）×ＣＮＯｘ−ｉｎ×λ  ・・・（Ｕ２）
（但し、ＣＨ２Ｏは焼却炉出口側での水分（体積比））
当該焼却設備から排出される排ガス中の還元剤濃度の規制値に対応する還元剤の供給濃度（ＣＲＥＤ）（ｐｐｍ）を下記（Ｕ３）式に代入して、当該規制値に基づくアンモニアの供給量（Ｆ´ＲＥＤ）を求め、
Ｆ´ＲＥＤ＝１０−６×ＣＲＥＤ×ＦＧＡＳ×（１−ＣＨ２Ｏ）  ・・・（Ｕ３）
且つ上記排ガス量に基づき求められた還元剤供給量（ＦＲＥＤ）でもって還元剤の供給を行う際に、排ガス量に基づく還元剤供給量（ＦＲＥＤ）が規制値に基づく還元剤供給量（Ｆ´ＲＥＤ）を超えた場合には、当該規制値に基づく還元剤供給量（Ｆ´ＲＥＤ）でもって還元剤を供給することを特徴とする焼却設備における還元剤供給方法。
【請求項２】
還元剤の供給手前位置での窒素酸化物濃度（ＣＮＯｘ−ｉｎ）を求める関係として下記（Ｕ）式を用いることを特徴とする請求項１に記載の焼却設備における還元剤供給方法。
ＣＮＯｘ−ｉｎ＝Ａ１×ＦＧＡＳ＋Ａ２  ・・・（Ｕ）
（但し、Ａ１およびＡ２は定数）
【請求項３】
還元剤の供給手前位置での窒素酸化物濃度を求める関係として下記（Ｖ）式を用いることを特徴とする請求項１に記載の焼却設備における還元剤供給方法。
ＣＮＯｘ−ｉｎ＝Ｂ１×ＦＧＡＳ＋Ｂ２×ＣＯ２＋Ｂ３  ・・・（Ｖ）
（但し、Ｂ１，Ｂ２およびＢ３は定数、ＣＯ２は焼却炉出口側での酸素濃度）
【請求項４】
排ガス処理経路部出口側の排ガス中の窒素酸化物濃度（ＣＮＯｘ−ｓ）を計測し、当該計測された窒素酸化物濃度（ＣＮＯｘ−ｓ）を下記（Ｗ）式に代入することにより供給手前位置の窒素酸化物濃度（ＣＮＯｘ−ｉｎ）を補正して補正窒素酸化物濃度（ＣＮＯｘ−ｉｎ−Ｍ）を求めるとともに、この求められた補正窒素酸化物濃度（ＣＮＯｘ−ｉｎ−Ｍ）を用いて脱硝率ｘを補正することを特徴とする請求項１乃至３のいずれか一項に記載の焼却設備における還元剤供給方法。
ＣＮＯｘ−ｉｎ−Ｍ＝（ＣＮＯｘ−ｓ／ＣＮＯｘ−ｏｕｔ）×ＣＮＯｘ−ｉｎ  ・・・（Ｗ）
【発明の詳細な説明】
【技術分野】
【０００１】
本発明は、焼却炉からの排ガス中の窒素酸化物（ＮＯｘ）の濃度を低減し得るアンモニアなどの還元剤を供給するための還元剤供給方法に関する。
【背景技術】
【０００２】
大気汚染防止法では、焼却炉から排出される窒素酸化物（ＮＯｘ）の排出基準（例えば、２５０ｐｐｍ；酸素１２％換算）が定められているが、場所によっては、この排出基準よりも厳しい自主規制値（例えば、１００ｐｐｍ；酸素１２％換算）が設定されている。
【０００３】
ところで、低炭素社会または循環型社会の形成に向け、廃棄物処理分野においても、発電量の向上が重要視されている。
この発電量向上の方策として、触媒を用いた脱硝技術を採用しないで、排ガスの再加熱器で使用する蒸気を発電に供する方法、すなわち無脱硝触媒技術を用いたごみ焼却設備がある（例えば、特許文献１参照）。
【先行技術文献】
【特許文献】
【０００４】
【特許文献１】特開平０７−４９１１２号公報
【発明の概要】
【発明が解決しようとする課題】
【０００５】
上述した無脱硝触媒技術を用いたごみ焼却設備においても、脱硝率の向上が望まれており、無脱硝触媒技術の向上を図るために、還元剤であるアンモニアの供給量を増やすと、排ガス中のリークアンモニア濃度が上昇し、例えば１０ｐｐｍを超えると、アンモニア由来の白煙が発生してしまう。
【０００６】
焼却炉での燃焼状態が変化すると、発生する窒素酸化物の量も変化し、このため、還元剤であるアンモニアの供給量も変化する。
したがって、排ガス中における窒素酸化物の量を把握してアンモニアの供給量を適正にする必要があるが、焼却炉内で窒素酸化物の量を正確に計測するのが難しいという問題があった。
【０００７】
そこで、本発明は、排ガス量から窒素酸化物を予測することで、供給する還元剤の量を適正にし得る還元剤供給方法を提供することを目的とする。
【課題を解決するための手段】
【０００８】
上記課題を解決するため、本発明の請求項１に係る焼却設備における還元剤供給方法は、廃棄物を燃焼させる燃焼室および当該燃焼室で発生した排ガスを外部に導く煙道が設けられた焼却炉およびこの焼却炉から排出される排ガスを大気側に導くとともに途中に排ガス処理機器が設けられた排ガス処理経路部を具備する焼却設備における上記排ガス中の窒素酸化物の発生を抑制するための還元剤の供給方法であって、
排ガス処理経路部より排出される排ガス量から当該排ガス処理経路部に供給された水・空気量などの流体流量を減算して焼却炉出口側での排ガス量（ＦＧＡＳ）を求め、
予め焼却炉で実測された還元剤供給手前位置での排ガス量と焼却炉出口側での窒素酸化物濃度との関係を用いて、上記求められた排ガス量（ＦＧＡＳ）から還元剤の供給手前位置での窒素酸化物濃度（ＣＮＯｘ−ｉｎ）（ｐｐｍ）を求め、
上記求められた窒素酸化物濃度（ＣＮＯｘ−ｉｎ）および目標値としての窒素酸化物濃度（ＣＮＯｘ−ｏｕｔ）（ｐｐｍ）を下記（Ｕ１）式に代入して脱硝率ｘを求め、
ｘ＝１−［ＣＮＯｘ−ｏｕｔ／｛ＣＮＯｘ−ｉｎ×（２１−１２）／（２１−ＣＯ２）｝］  ・・・（Ｕ１）
（但し、ＣＯ２は焼却炉出口側での酸素濃度（％））
予め求められている脱硝率ｘと当該脱硝率ｘを達成するための還元剤の当量比（還元剤／窒素酸化物）λとの関係を示すデータに基づき、上記（Ｕ１）式にて求められた脱硝率ｘに対応する当量比λを求め、
上記当量比λを下記（Ｕ２）式に代入して、排ガス量に基づく還元剤の供給量（ＦＲＥＤ）を求め、
ＦＲＥＤ＝１０−６×ＦＧＡＳ×（１−ＣＨ２Ｏ）×ＣＮＯｘ−ｉｎ×λ  ・・・（Ｕ２）
（但し、ＣＨ２Ｏは焼却炉出口側での水分（体積比））
当該焼却設備から排出される排ガス中の還元剤濃度の規制値に対応する還元剤の供給濃度（ＣＲＥＤ）（ｐｐｍ）を下記（Ｕ３）式に代入して、当該規制値に基づくアンモニアの供給量（Ｆ´ＲＥＤ）を求め、
Ｆ´ＲＥＤ＝１０−６×ＣＲＥＤ×ＦＧＡＳ×（１−ＣＨ２Ｏ）  ・・・（Ｕ３）
且つ上記排ガス量に基づき求められた還元剤供給量（ＦＲＥＤ）でもって還元剤の供給を行う際に、排ガス量に基づく還元剤供給量（ＦＲＥＤ）が規制値に基づく還元剤供給量（Ｆ´ＲＥＤ）を超えた場合には、当該規制値に基づく還元剤供給量（Ｆ´ＲＥＤ）でもって還元剤を供給する方法である。
【０００９】
また、本発明の請求項２に係る焼却設備における還元剤供給方法は、請求項１に記載の還元剤供給方法において、
還元剤の供給手前位置での窒素酸化物濃度（ＣＮＯｘ−ｉｎ）を求める関係として下記（Ｕ）式を用いる方法である。
【００１０】
ＣＮＯｘ−ｉｎ＝Ａ１×ＦＧＡＳ＋Ａ２  ・・・（Ｕ）
（但し、Ａ１およびＡ２は定数）
また、本発明の請求項３に係る焼却設備における還元剤供給方法は、請求項１に記載の還元剤供給方法において、
還元剤の供給手前位置での窒素酸化物濃度を求める関係として下記（Ｖ）式を用いる方法である。
【００１１】
ＣＮＯｘ−ｉｎ＝Ｂ１×ＦＧＡＳ＋Ｂ２×ＣＯ２＋Ｂ３  ・・・（Ｖ）
（但し、Ｂ１，Ｂ２およびＢ３は定数、ＣＯ２は焼却炉出口側での酸素濃度）
さらに、本発明の請求項４に係る焼却設備における還元剤供給方法は、請求項１乃至３のいずれかに記載の還元剤供給方法において、
排ガス処理経路部出口側の排ガス中の窒素酸化物濃度（ＣＮＯｘ−ｓ）を計測し、当該計測された窒素酸化物濃度（ＣＮＯｘ−ｓ）を下記（Ｗ）式に代入することにより供給手前位置の窒素酸化物濃度（ＣＮＯｘ−ｉｎ）を補正して補正窒素酸化物濃度（ＣＮＯｘ−ｉｎ−Ｍ）を求めるとともに、この求められた補正窒素酸化物濃度（ＣＮＯｘ−ｉｎ−Ｍ）を用いて脱硝率ｘを補正する方法である。
【００１２】
ＣＮＯｘ−ｉｎ−Ｍ＝（ＣＮＯｘ−ｓ／ＣＮＯｘ−ｏｕｔ）×ＣＮＯｘ−ｉｎ  ・・・（Ｗ）
【発明の効果】
【００１３】
上記還元剤供給方法によると、排ガス中への還元剤の供給量をその供給手前位置における焼却炉内での窒素酸化物濃度を用いて求める際に、焼却炉内での窒素酸化物濃度を焼却炉から排出される排ガス量に基づき求めるようにしたので、還元剤の供給量を適正に、すなわち正確に求めることができる。
【図面の簡単な説明】
【００１４】
【図１】本発明の実施例に係る焼却設備の略全体構成を示す図である。
【図２】同焼却設備における還元剤供給装置の還元剤制御部の概略構成を示すブロック図である。
【図３】同焼却設備における還元剤供給方法で用いられる当量比と脱硝率との関係を示すグラフである。
【図４】同還元剤供給装置による運転状態での窒素酸化物濃度およびリークアンモニア濃度を示すグラフである。
【発明を実施するための形態】
【００１５】
以下、本発明の実施例に係る焼却設備における還元剤供給方法およびこの還元剤供給方法を実施するための還元剤供給装置を、図１〜図４に基づき説明する。
まず、還元剤供給装置が具備される焼却設備の概略全体構成について説明する。
【００１６】
この焼却設備は、図１に示すように、大きく分けて、廃棄物を焼却する焼却炉１と、この焼却炉１から排出される排ガスを導いて当該排ガスの温度を低下させるとともに排ガス中に含まれている飛灰などの粉塵を除去するための排ガス処理機器２を有する排ガス処理経路部３と、この排ガス処理経路部３で粉塵などが除去された排ガスを大気に放出するための煙突４とから構成されるとともに、焼却炉１にて発生した排ガス中に還元剤であるアンモニア（ＮＨ３）を供給（「吹き込み」とも言える）して脱硝を行い有害物質である窒素酸化物（ＮＯｘ）の濃度を低減させるための還元剤供給装置５とが具備されている。なお、以下の説明において、窒素酸化物を含む語句が長くなる場合、およびＮＯｘと表した方が分かり易いと思われる場合には、窒素酸化物をＮＯｘで表す。また、還元剤としては、アンモニアの他に、アンモニア希釈水または尿素希釈水を用いることができるが、以下の説明では、アンモニアとして説明する。なお、特許請求の範囲の請求項に記載した式中の英字の添え字については、還元剤を表す「ＲＥＤ」を用いたが、アンモニアを表す「ＮＨ３」を用いて説明する。
【００１７】
上記焼却炉１は、炉本体１１内の下部に設けられて廃棄物を燃焼させる燃焼室１２と、この燃焼室１２の上方に配置されて当該燃焼室１２で発生した排ガスを外部に導くための鉛直方向の第１煙道１３、第２煙道１４および第３煙道１５とから構成されている。なお、燃焼室１２の上方に配置される第１煙道１３および第２煙道１４は鉛直方向の通路で且つ逆Ｕ字形状にされており、またこれらの煙道にはボイラ部がそれぞれ設けられている。すなわち、第１煙道１３の下端は燃焼室１２の上面に開口されるとともに、第１煙道１３の上端と第２煙道１４の上部とは半円状でもって互いに接続され、さらに第２煙道１４の下端は同じく鉛直方向で設けられた第３煙道１５の下端入口側に接続されている。
【００１８】
上記排ガス処理経路部３には、排ガス処理機器２として、例えば焼却炉１の第３煙道１５から排出される排ガスを導くとともに水を供給して排ガス温度を低下させるための減温塔（設けない場合もある）２１と、この減温塔２１で温度が低下された排ガスを導いて粉塵を除去するバグフィルタ２２とが設けられており、また焼却炉１からの排ガスをこれら減温塔２１およびバグフィルタ２２を介して煙突４に導く排ガス管路２３が設けられている。
【００１９】
次に、還元剤供給装置５について説明するが、まず、ＮＯｘの還元剤であるアンモニアの供給部分について説明する。
炉本体１１の第１煙道１３および第２煙道１４の上方半円状の接続部近傍が８００〜１０００℃の高い温度範囲、すなわち無触媒脱硝において、高い脱硝性能が得られる８００〜９００℃の温度域の排ガス中に還元剤であるアンモニアを供給するようにしている。例えば、図１に示すように、３箇所で（３箇所に限定されるものではなく、焼却するごみ質に応じて増減される）且つ煙道の横断面内でアンモニアを供給し得るように供給用ノズル（噴射用ノズルともいえる）３１がそれぞれ配置されている。なお、アンモニアを煙道の横断面（ａ，ｂ，ｃ）に均一に供給し得るように、その横断面（ａ，ｂ，ｃ）に沿って且つその左右両側に、複数の供給用ノズル３１が配置されることになるが、１つの横断面に対応する左右両側の供給用ノズル３１をそれぞれ代表して第１供給用ノズル（３１Ａ）、第２供給用ノズル（３１Ｂ）、第３供給用ノズル（３１Ｃ）と称して説明する。
【００２０】
すなわち、両煙道１３，１４を形成する中央の仕切壁１１ａの上部位置で水平方向の横断面ａに沿って第１供給用ノズル３１Ａが配置され、仕切壁１１ａの上端部で前側傾斜方向の横断面ｂに沿って第２供給用ノズル３１Ｂが配置され、仕切壁１１ａの上端部で後側傾斜方向の横断面ｃに沿って第３供給用ノズル３１Ｃが配置されている。
【００２１】
具体的には、供給用ノズル３１の同一設置断面においては、その左右側壁部では、０．２〜２ｍの範囲の距離でもって複数箇所に配置されるとともに、排ガスの流れ方向においては、１〜３ｍの範囲の距離でもって複数箇所（複数段）（本実施例では３箇所であるが、上述したように、３箇所に限定されるものではない）にて配置される。また、これら各供給用ノズル３１は、その噴射方向が水平方向ないし排ガス流れの上流に向かって６０度の角度範囲となるように設けられる。これは、アンモニアを排ガス流れの上流に供給することで、還元剤であるアンモニアを排ガス中に均一に拡散させるためである。
【００２２】
そして、後述するが、これら各供給用ノズル３１からのアンモニア供給量を制御する際に、その供給位置での排ガス温度に基づくようにされているため、各供給部分の温度を計測し得る第１〜第３温度計（温度計として、例えば熱電対が用いられる）３６（３６Ａ，３６Ｂ，３６Ｃ）が設けられている。なお、温度計の設置箇所を１箇所だけにして、他の箇所については、その計測温度から計算などにより推定するようにしてもよい。
【００２３】
上記各供給用ノズル３１には、アンモニアおよび蒸気を供給し得る流体供給用配管３２が接続されており、その途中に設けられた流量制御弁３３の開度を制御する還元剤制御部３４が具備されている。
【００２４】
なお、以下においては、還元剤であるアンモニアの供給手前位置を脱硝部入口側と称し、アンモニアを供給した後の位置を脱硝部出口側とも称して説明する。また、脱硝部出口側については、第３煙道出口側（ボイラ部出口側でもある）または焼却炉出口側と呼ぶこともできる。
【００２５】
次に、還元剤であるアンモニアを適正な量でもって供給するために必要な計測器について説明する。
すなわち、排ガス処理経路部３の出口側、具体的には、バグフィルタ２２の出口側の排ガス管路２３に、排ガス量を計測し得る排ガス量計測器４１が設けられている。また、排ガス処理経路部３の減温塔２１においては、水が噴霧されており、供給される水量および噴霧用の空気量も計測されている。さらに、バグフィルタ２２の手前側にも、排ガス処理用薬剤を吹き込むための空気が供給されており、この空気量についても計測されている。
【００２６】
このように、排ガス処理経路部３においては、水、空気などの流体がそれぞれ複数箇所で供給されているが、説明を簡単にするために、当該排ガス処理経路部３に接続される水供給管４２および空気供給管４３をそれぞれ１本で図示（図１参照）するとともに、水供給管４２および空気供給管４３に水量計測器４４および空気量計測器４５がそれぞれ設けられているものとして説明する。
【００２７】
また、排ガス処理経路部３から排出される排ガス中のＮＯｘ濃度および酸素濃度を計測するＮＯｘ濃度計（窒素酸化物濃度計）４６および酸素濃度計４７がそれぞれ設けられている。
【００２８】
さらに、第３煙道１５の出口側には焼却炉出口における排ガス中の水分を計測する水分計４８が設けられている。なお、設置された水分計の計測値を用いる代わりに、予め排ガス中の水分を計測しておいた計測値（採取した排ガス中の水分の計測値）を用いるようにしてもよい。
【００２９】
ところで、還元剤供給装置５には、上述したように、燃焼状態に応じて還元剤を供給するための還元剤制御部３４が具備されているが、この構成については、還元剤の供給方法を説明した後に説明する。
【００３０】
以下、還元剤の供給方法について説明する。
まず、排ガス量計測器４１で計測された排ガス量から、水量計測器４４および空気量計測器４５で計測された水量および空気量（纏めて、流体流量とも言うことができ、また水については蒸気量つまりガス量としての値が用いられる）を減算することにより、焼却炉出口側における排ガス量（ＦＧＡＳ）（ｍ３Ｎ／ｈ・ｗｅｔ）を求める。
【００３１】
次に、この排ガス量（ＦＧＡＳ）を下記（１）式に代入することにより、還元剤の供給手前位置である脱硝部入口側でのＮＯｘ濃度（ＣＮＯｘ−ｉｎ）（ｐｐｍ・ｄｒｙ）を求める。
【００３２】
ＣＮＯｘ−ｉｎ＝Ａ１×ＦＧＡＳ＋Ａ２  ・・・（１）
上記式中、Ａ１およびＡ２は定数である。
なお、この（１）式は、焼却炉を実際に稼動させて、焼却炉出口側（脱硝部出口側）の排ガス量と脱硝部入口側でのＮＯｘ濃度とを実測し、多くの計測データに基づき両者の関係を表す一次式を例えば最小二乗法などを用いて求めたものである。例えば、或る焼却炉の場合では、Ａ１が０．００３１１、Ａ２は９０．１であった。
【００３３】
また、このとき、第３煙道出口側（ボイラ部出口側）言い換えれば焼却炉出口側での酸素濃度が求められている。すなわち、排ガス量計測器４１で計測された排ガス量と酸素濃度計４７で計測された酸素濃度とから排ガス処理経路部３からの排ガス中の総酸素量が求められるとともに、水量計測器４４で計測された水量、空気量計測器４５で計測された空気量および水分計４８により計測された水分値に基づきこれら流体に含まれている追加酸素量が求められ、そして上記総酸素量から追加酸素量が減算されることにより、焼却炉出口側での酸素濃度が求められる。
【００３４】
次に、上記ＮＯｘ濃度（ＣＮＯｘ−ｉｎ）および焼却炉出口における目標値としてのＮＯｘ濃度（ＣＮＯｘ−ｏｕｔ）（ｐｐｍ・ｄｒｙ）を、下記（２）式に代入することにより、脱硝率ｘを計算する。なお、脱硝率とは、脱硝部入口側でのＮＯｘ濃度（ＣＮＯｘ−ｉｎ）から焼却炉出口側（脱硝部出口側）の目標値であるＮＯｘ濃度（ＣＮＯｘ−ｏｕｔ）を差し引いたものを、脱硝部入口側のＮＯｘ濃度（ＣＮＯｘ−ｉｎ）で除算したもので、下記（２）式は、酸素１２％換算を考慮したものである。
【００３５】
ｘ＝１−［ＣＮＯｘ−ｏｕｔ／｛ＣＮＯｘ−ｉｎ×（２１−１２）／（２１−ＣＯ２）｝］  ・・・（２）
但し、（２）式中、ＣＯ２は焼却炉出口側での酸素濃度（ｄｒｙ値が用いられる）（％）である。
【００３６】
次に、上記求められた脱硝率ｘを用いて、予め求められているＮＯｘの目標値に対するアンモニアの当量比（アンモニア／ＮＯｘ）λと脱硝率ｘとの関係を示すグラフ（数値データであってもよい）から、当該脱硝率ｘに対応する当量比λを求める。なお、ＮＯｘ濃度に対するアンモニアの当量比（アンモニア／ＮＯｘ）λと脱硝率ｘとの関係は、例えば図３のグラフに示すように、アンモニア供給位置での排ガス温度に応じて、予め、計算により求められている。勿論、アンモニア供給位置での温度は、温度計３６により、所定時間毎に計測されている。なお、図３に示すグラフは、例えば第２供給用ノズル（３１Ｂ）位置で且つ温度に応じて求められたものであり、勿論、アンモニア供給位置に応じて異なるものである。
【００３７】
次に、上記求められた当量比λを下記（３）式に代入して、アンモニアの供給量（ＦＮＨ３）（ｍ３Ｎ／ｈ）を算出する。
ＦＮＨ３＝１０−６×ＦＧＡＳ×（１−ＣＨ２Ｏ）×ＣＮＯｘ−ｉｎ×λ  ・・・（３）
但し、（３）式中、ＣＨ２Ｏは焼却炉出口側での水分（体積比）であり、第３煙道１５の出口側に配置された水分計４８により計測されている。なお、水分計４８の計測値を用いる代わりに、予め、排ガス中の水分を計測しておいた水分値を用いるようにしてもよい。
【００３８】
このように、排ガス中への還元剤の供給量をその供給手前位置における焼却炉内での窒素酸化物濃度を用いて求める際に、焼却炉内での窒素酸化物濃度を焼却炉から排出される排ガス量に基づき求めるようにしたので、還元剤の供給量を正確に求めることができる。
【００３９】
さらに、白煙化防止用として、以下の手順が行われる。
すなわち、上記アンモニアの供給量の算出と並行して、白煙化防止のための規制値（例えば１０ｐｐｍ）に対応する脱硝部入口側でのアンモニアの供給濃度（ＣＮＨ３；２００〜３００ｐｐｍ・ｄｒｙ）が得られるアンモニアの供給量（Ｆ′ＮＨ３）を、下記（４）式により算出する。
【００４０】
Ｆ′ＮＨ３＝１０−６×ＣＮＨ３×ＦＧＡＳ×（１−ＣＨ２Ｏ）  ・・・（４）
次に、上記求められた両アンモニア供給量（ＦＮＨ３，Ｆ′ＮＨ３）を比較し、通常は、排ガス量に基づくアンモニア供給量（ＦＮＨ３）を選択するが、排ガス量に基づくアンモニア供給量（ＦＮＨ３）が規制値に基づくアンモニア供給量（Ｆ′ＮＨ３）を超えた場合には、当該規制値に基づくアンモニア供給量（Ｆ′ＮＨ３）を選択する。
【００４１】
すなわち、上記選択されたアンモニア供給量でもってアンモニアが供給用ノズル３１から焼却炉１内に供給される。
なお、上記（１）式で用いられるＮＯｘ濃度（ＣＮＯｘ−ｉｎ）は計算値であるため、実際に計測された（所定時間毎に計測されている）ＮＯｘ濃度（ＣＮＯｘ−ｓ）を下記（５）式に代入して補正し、この補正濃度（ＣＮＯｘ−ｉｎ−Ｍ）（ｐｐｍ・ｄｒｙ）を上記（２）式に代入して脱硝率ｘを補正する。
【００４２】
ＣＮＯｘ−ｉｎ−Ｍ＝（ＣＮＯｘ−ｓ／ＣＮＯｘ−ｏｕｔ）×ＣＮＯｘ−ｉｎ  ・・・（５）
ところで、焼却炉１内に配置された供給用ノズル３１は、燃焼負荷に応じて、用いられるノズルが選択される。
【００４３】
具体的に言うと、燃焼負荷が小さい場合には、排ガス流路の上流側が８５０℃程度になるため第１供給用ノズル３１Ａからアンモニアが供給され、燃焼負荷が中程度の場合には、その下流側が８５０℃程度になるため第２供給用ノズル３１Ｂからアンモニアが供給され、燃焼負荷が大きい場合には、さらにその下流側が８５０℃程度になるため第３供給用ノズル３１Ｃからアンモニアが供給される（例えば、蒸気を用いて供給される）。すなわち、燃焼負荷に応じて、使用する供給用ノズル３１を、排ガスの流れ方向において、上流側から下流側に順次変更される。
【００４４】
また、焼却炉１内で供給されるアンモニアについては、アンモニアが１００％の液体でもって供給されるか、または蒸気若しくは空気により同伴されて供給される。同伴媒体として、過熱蒸気または飽和蒸気を使用する場合、その供給速度つまり噴射速度は、音速の１／２〜音速の範囲内とされる。また、ノズルから供給（噴射）されるアンモニア液体の平均粒子径が１０〜５００μｍの範囲内とされるとともに、この場合におけるノズル先端の口径は、２〜２０ｍｍの範囲内であることが好ましい。さらに、アンモニアが供給されるノズルは、８００〜１０００℃の範囲内、好ましくは、８００〜９５０℃の範囲内のものが使用される。
【００４５】
上記供給方法を踏まえて、還元剤制御部３４の構成を説明すると以下のようになる。
すなわち、上記還元剤制御部３４には、図２に示すように、排ガス量計測器４１で計測された排ガス量から水量計測器４４および空気量計測器４５で計測された水、空気などの流体流量を減算して焼却炉出口側での排ガス量（ＦＧＡＳ）を求める出口側排ガス量算出部５１と、
この出口側排ガス量算出部５１で求められた排ガス量（ＦＧＡＳ）を下記（６）式に代入することにより、脱硝部入口側でのＮＯｘ濃度（ＣＮＯｘ−ｉｎ）を算出する入口側ＮＯｘ濃度算出部５２と、
ＣＮＯｘ−ｉｎ＝Ａ１×ＦＧＡＳ＋Ａ２  ・・・（６）
［但し、（６）式中、Ａ１およびＡ２は定数］
上記排ガス量計測器４１で計測された排ガス量、酸素濃度計４７で計測された酸素濃度、水量計測器４４で計測された水量、空気量計測器４５で計測された空気量、および水分計４８により計測された水分値（予め計測しておいた水分値を用いてもよい）を入力して、焼却炉出口側での酸素濃度を算出する酸素濃度算出部５３と、
上記ＮＯｘ濃度（ＣＮＯｘ−ｉｎ）および焼却炉出口側での目標値としてのＮＯｘ濃度（ＣＮＯｘ−ｏｕｔ）を、下記（７）式に代入することにより、脱硝率ｘを求める脱硝率算出部５４と、
ｘ＝１−［ＣＮＯｘ−ｏｕｔ／｛ＣＮＯｘ−ｉｎ×（２１−１２）／（２１−ＣＯ２）｝］  ・・・（７）
［但し、（７）式中、ＣＯ２は焼却炉出口側での酸素濃度］
上記求められた脱硝率ｘを用いて、予め求められているＮＯｘに対するアンモニアの当量比（アンモニア／ＮＯｘ）λと脱硝率ｘとの関係を示すグラフ（例えば、図３に示す）（数値データであってもよい）から、当該脱硝率ｘに対応する当量比λを求める当量比算出部５５と、
上記求められた当量比λを下記（８）式に代入して、排ガスに基づくアンモニアの供給量（ＦＮＨ３）を求める第１還元剤供給量算出部５６とが具備され、
ＦＮＨ３＝１０−６×ＦＧＡＳ×（１−ＣＨ２Ｏ）×ＣＮＯｘ−ｉｎ×λ  ・・・（８）
［但し、（８）式中、ＣＨ２Ｏは焼却炉出口側での水分（体積比）（水分計４８による計測値；なお予め計測しておいた水分値を用いてもよい）］
さらに上記アンモニアの供給量の算出と並行して、煙突４から排出されるリークアンモニア濃度の規制値（例えば１０ｐｐｍなどの規制値、または上乗せ規制値である）に対応する脱硝部入口側でのアンモニア供給濃度（ＣＮＨ３）を下記（９）式に代入して規制値に基づくアンモニア供給量（Ｆ′ＮＨ３）を求める第２還元剤供給量算出部５７と、
Ｆ′ＮＨ３＝１０−６×ＣＮＨ３×ＦＧＡＳ×（１−ＣＨ２Ｏ）  ・・・（９）
上記求められた両アンモニア供給量（ＦＮＨ３，Ｆ′ＮＨ３）を比較し、通常は、排ガス量に基づくアンモニア供給量（ＦＮＨ３）を選択するが、当該排ガスに基づくアンモニア供給量（ＦＮＨ３）が規制値に基づくアンモニア供給量（Ｆ′ＮＨ３）を超えた場合に、規制値に基づくアンモニア供給量（Ｆ′ＮＨ３）を選択する還元剤供給量選択部５８と、
処理経路部出口側に設けられたＮＯｘ濃度計４６で計測された排ガス中のＮＯｘ濃度（ＣＮＯｘ−ｓ）を下記（１０）式に代入して計算によるＮＯｘ濃度（ＣＮＯｘ−ｉｎ）を補正する補正濃度（ＣＮＯｘ−ｉｎ−Ｍ）に基づき脱硝率ｘを補正する脱硝率補正部５９とが具備されている。なお、ＣＮＯｘ−ｓとして、１０秒〜１時間の移動平均値を採用することもできる。
【００４６】
ＣＮＯｘ−ｉｎ−Ｍ＝（ＣＮＯｘ−ｓ／ＣＮＯｘ−ｏｕｔ）×ＣＮＯｘ−ｉｎ  ・・・（１０）
勿論、上記還元剤制御部３４には、各計測機器で計測された温度、ＮＯｘ濃度、排ガス量、水量、空気量、酸素濃度、水分などの各計測値が入力されるとともに、ここで求められたアンモニア供給量がアンモニアの供給量を制御する流量制御弁３３に出力されている。
【００４７】
上記還元剤供給方法によると、焼却炉から排出される排ガス中に、還元剤を供給して窒素酸化物の濃度を低減させる際に、供給する還元剤の量を、焼却炉から排出される排ガス量に基づき求めるようにしたので、すなわち計測器を用いることなく焼却炉内での窒素酸化物濃度を求めることができるので、適正な還元剤の供給量が得られる。さらに、還元剤の供給量を求める際に、供給量がその規制値を超えるような場合には、この規制値に基づく還元剤の供給量を優先するようにしたので、還元剤の供給量が規制値を超える場合に生じる弊害、例えば還元剤がアンモニアである場合の白煙の発生を確実に防止することができる。具体的な数値データを示すと、図４のようになる。すなわち、図４から、リークアンモニア濃度（ＮＨ３リーク量）が規制値である１０ｐｐｍ以下を保った状態で、焼却炉出口側における窒素酸化物濃度（例えば、１ｈ移動平均値）が安定的に４０ｐｐｍ以下に維持されていることが分かる。
【００４８】
ところで、上記実施例では、還元剤の供給手前位置である脱硝部入口側でのＮＯｘ濃度を求める際に、（１）式を用いたが、焼却炉出口側の酸素濃度を考慮した場合、特に、図１の破線にて示すように、第３煙道１５の出口側（または第２煙道１４内や第３煙道１５内）に設けたレーザ式酸素濃度計４９（４９′）により、直接、酸素濃度（ｗｅｔ値）（ＣＯ２）を計測している場合には、下記（１１）式を用いてもよい。
【００４９】
ＣＮＯｘ−ｉｎ＝Ｂ１×ＦＧＡＳ＋Ｂ２×ＣＯ２＋Ｂ３  ・・・（１１）
［但し、（１１）式中、Ｂ１，Ｂ２およびＢ３は定数］
【符号の説明】
【００５０】
１      焼却炉
２      排ガス処理機器
３      排ガス処理経路部
４      煙突
５      還元剤供給装置
１１      焼却炉
１２      燃焼室
１３      第１煙道
１４      第２煙道
１５      第３煙道
２１      減温塔
２２      バグフィルタ
３１      供給用ノズル
３２      流体供給用配管
３３      流量制御弁
３４      還元剤制御部
３６      温度計
４１      排ガス量計測器
４４      水量計測器
４５      空気量計測器
４６      ＮＯｘ濃度計
４７      酸素濃度計
４８      水分計
４９      レーザ式酸素濃度計
５１      出口側排ガス量算出部
５２      入口側ＮＯｘ濃度算出部
５３      酸素濃度算出部
５４      脱硝率算出部
５５      当量比算出部
５６      第１還元剤供給量算出部
５７      第２還元剤供給量算出部
５８      還元剤供給量選択部
５９      脱硝率補正部
【図１】
0006049809.tif 000002
【図２】
0006049809.tif 000003
【図３】
0006049809.tif 000004
【図４】
0006049809.tif 000005